(57)【要約】【課題】複数の圧電素子が生ずる振動の干渉を避け、ボタンやキーを押したような操作感（クリック感）を与えられるようにタッチパネル部を十分に振動させる。【解決手段】表示入力装置は表示部と、表示部の上面に設けられ、タッチされている位置を検知するためのタッチパネル部と、タッチパネル部でタッチされた位置を認識する認識部と、タッチパネル部のうち外部から視認されない領域に接する複数の圧電素子と、圧電素子に駆動信号を１又は複数回入力して圧電素子及びタッチパネル部を振動させる駆動部と、を含み、記圧電素子はタッチパネル部の短辺方向で向かい合うようにタッチパネル部の長辺方向に沿って複数設けられ、タッチパネル部の短辺方向で向かい合う一対の圧電素子で圧電素子対が複数形成され、駆動部は全ての圧電素子対に対し、同時に駆動信号の入力を開始しない。【選択図】図５
2014194589.tif 000002
【特許請求の範囲】
【請求項１】
操作、設定用の画面を表示する表示部と、
前記表示部の上面に設けられ、タッチされている位置を検知するためのタッチパネル部と、
前記タッチパネル部の出力に基づき、前記タッチパネル部でタッチされた位置を認識する認識部と、
前記タッチパネル部のうち外部から視認されない領域に接する複数の圧電素子と、
前記圧電素子に予め定められた電圧波形の駆動信号を１又は複数回入力して前記圧電素子及び前記タッチパネル部を振動させる駆動部と、を含み、
前記圧電素子は前記タッチパネル部の短辺方向で向かい合うように前記タッチパネル部の長辺方向に沿って複数設けられ、前記タッチパネル部の短辺方向で向かい合う一対の圧電素子で圧電素子対が複数形成され、
前記駆動部は全ての前記圧電素子対に対し、同時に前記駆動信号の入力を開始しないことを特徴とする表示入力装置。
【請求項２】
前記圧電素子対は３つ以上であり、
前記タッチパネル部がタッチされたとき、
前記駆動部は前記認識部により認識されたタッチ位置に最も近い２つの前記圧電素子対にのみ前記駆動信号を入力することを特徴とする請求項１記載の表示入力装置。
【請求項３】
認識されたタッチ位置に応じて前記駆動信号を入力する前記圧電素子対を定めた設定データを記憶する記憶部を含み、
前記駆動部は認識されたタッチ位置に応じて前記駆動信号を入力すると前記設定データ内で定められた前記圧電素子対に前記駆動信号を入力することを特徴とする請求項２に記載の表示入力装置。
【請求項４】
前記タッチパネル部がタッチされたとき、
前記駆動部は最初の前記圧電素子対への前記駆動信号の入力開始タイミングと最後の前記圧電素子対への前記駆動信号の入力開始タイミングとのずれが予め定められた時間内に収まるように、前記駆動信号の入力開始タイミングを前記圧電素子対ごとにずらして、前記圧電素子に前記駆動信号を入力することを特徴とする請求項１乃至３のいずれか１項に記載の表示入力装置。
【請求項５】
前記駆動部は前記圧電素子対に対して１つ設けられ、前記圧電素子対の圧電素子に接続され、前記圧電素子に前記駆動信号を入力する駆動回路を含み、
複数の前記駆動回路のうち、１つの前記駆動回路である主駆動回路に、前記主駆動回路以外の前記駆動回路である従駆動回路が接続され、
前記主駆動回路は接続された前記圧電素子に対して前記駆動信号を入力するとともに、前記駆動信号を前記圧電素子に入力すべき旨のトリガ信号を、各前記圧電素子対の振動開始のタイミングがずれるようにそれぞれの前記従駆動回路に与え、
前記従駆動回路は前記トリガ信号を受けると、接続された前記圧電素子に前記駆動信号を入力することを特徴とする請求項４記載の表示入力装置。
【請求項６】
前記認識部は前記タッチパネル部の出力に基づきタッチされ続けている時間を認識し、
前記駆動部はタッチされている時間が長いほど、前記圧電素子対に入力する駆動信号の回数を増やす、又は、前記駆動信号としての電圧の振幅を大きくすることを特徴とする請求項１乃至５乃至のいずれか１項に記載の表示入力装置。
【請求項７】
請求項１乃至請求項６のいずれか１項に記載の表示入力装置を含むことを特徴とする画像形成装置。
【発明の詳細な説明】
【技術分野】
【０００１】
本発明は表示部やタッチパネル部を有する表示入力装置、及び、これを備えた画像形成装置に関する。
【背景技術】
【０００２】
近年、複合機、複写機、プリンターなどの機器には、表示部とタッチパネル部を備えた操作パネルが設けられることがある。タッチパネル部は表示部の上方に配置され、キーやボタンを表示部に表示し、タッチパネル部を用いてタッチされた位置を認識する。タッチパネル部をタッチする操作はタッチ位置に対応する位置のキーやボタンを選択する入力として受け付けられる。ボタン選択などが受け付けられると、表示部の表示が変化する（例えば、ボタンの色変化）。しかし、視覚による変化では分かりづらい場合がある（特に、視覚的な障害を持つ使用者）。そこで、タッチしたこと（ボタンを押す入力が受け付けられたことを）を触覚で認識できるようにして、タッチパネル部を振動させることがある。
【０００３】
このようなタッチパネル部を振動させる技術の一例が特許文献１に記載されている。具体的に、特許文献１には、情報表示面と、所定の操作面を有し情報表示面上に配置された透明または半透明の操作部と、操作部と結合し力学的作用と電気信号とを双方向で変換可能な双方向機能手段と、操作面に与えられた操作力によって双方向機能手段から発生する電気信号を操作信号として取出す操作信号取出し手段と、操作信号に応答して双方向機能手段に電気的な駆動信号を送出する駆動制御手段とを備え、駆動信号によって双方向機能手段で生ずる力学的反応（振動）が操作面に伝達される情報表示装置が記載されている。この構成により、操作面を振動させ、それによって使用者に確実な操作感を与えようとする（特許文献１：請求項１、段落［０００８］等参照）。
【先行技術文献】
【特許文献】
【０００４】
【特許文献１】特開平１１−２１２７２５号公報
【発明の概要】
【発明が解決しようとする課題】
【０００５】
上述のタッチパネル部を振動させることで、タッチパネル部をタッチしてボタンやキーを選択する操作など、一定の操作が受け付けられたことを触覚的に認識できるようにすることができる。
【０００６】
携帯電話などでは、従来、タッチパネル部や筐体を振動させるため、振動モーター（例えば、ローターに偏心錘を取り付けたモーター）を用いることがある。しかし、振動モーターを用いた場合、振動が比較的長い時間に及び、操作感に欠ける。
【０００７】
そこで、圧電素子を用いてタッチパネル部を振動させる（形状を変化させる）場合がある（特許文献１参照）。圧電素子の電圧を印加することで形状が変化する特性を生かし、例えば、単発的に圧電素子に電圧を印加し、瞬間的にタッチパネル部を振動させることで（振動モーターを用いるときよりもタッチパネル部の振動を短時間に抑えることで）、使用者にボタンやキーを押したような操作感（クリック感）を与えることができる。
【０００８】
しかし、複合機などの画像形成装置に設けられる操作パネルの表示部やタッチパネル部は携帯電話などよりもずっと大きい。そのため、画像形成装置に設けられるタッチパネル部を圧電素子で振動させる場合、使用者にボタンやキーを押したような操作感（クリック感）を与えられるようにするには（十分にタッチパネル部を振動させるには）、圧電素子を複数個設ける必要がある。例えば、複数の圧電素子はタッチパネル部や表示部の表示部の長辺方向に沿って設けられる場合がある。
【０００９】
ここで、圧電素子の全てを同時に振動させると（圧電素子対を同時に変形させると）、各圧電素子からの振動が干渉し（打ち消し合い）、タッチパネル部のうち、振動の無い部分や振動が弱くなる部分が生ずる場合がある。例えば、圧電素子と圧電素子に挟まれた圧電素子に近い部分での振動量（タッチパネル部の変形量）が少なくなる。このように、複数個の圧電素子を用いてタッチパネル部を振動させると、使用者にボタンやキーを押したような操作感（クリック感）を与えられるように、タッチパネル部を振動させることができない場合があるという問題がある。
【００１０】
ここで、特許文献１には、タッチパネル部の４隅に圧電素子を設ける例が記載されている（特許文献１：図６参照）。しかし、特許文献１には、圧電素子の全てを同時に振動させると、クリック感を与えられるようにタッチパネル部を振動させることができないという問題を解消できる記載はない。言い換えると、各圧電素子からの振動が干渉により問題が生ずる旨の示唆はない。従って、特許文献１記載の技術では、上記の問題を解決することができない。
【００１１】
本発明は上記の問題点に鑑み、複数の圧電素子によりタッチパネル部を振動（変形）させるとき、各圧電素子が生ずる振動の干渉を避け、ボタンやキーを押したような操作感（クリック感）を与えられるようにタッチパネル部を十分に振動させることを課題とする。
【課題を解決するための手段】
【００１２】
上記課題解決のため請求項１に係る表示入力装置は、操作、設定用の画面を表示する表示部と、前記表示部の上面に設けられ、タッチされている位置を検知するためのタッチパネル部と、前記タッチパネル部の出力に基づき、前記タッチパネル部でタッチされた位置を認識する認識部と、前記タッチパネル部のうち外部から視認されない領域に接する複数の圧電素子と、前記圧電素子に予め定められた電圧波形の駆動信号を１又は複数回入力して前記圧電素子及び前記タッチパネル部を振動させる駆動部と、を含み、前記圧電素子は前記タッチパネル部の短辺方向で向かい合うように前記タッチパネル部の長辺方向に沿って複数設けられ、前記タッチパネル部の短辺方向で向かい合う一対の圧電素子で圧電素子対が複数形成され、前記駆動部は全ての前記圧電素子対に対し、同時に前記駆動信号の入力を開始しないこととした。
【発明の効果】
【００１３】
上述したように、本発明によれば、複数の圧電素子によりタッチパネル部を圧電素子で振動させるとき、各圧電素子が生ずる振動の干渉を緩和することができる。従って、ボタンやキーを押したような操作感（クリック感）を与えられるように、タッチパネル部を十分に振動（変形）させることができ、触覚に基づく操作感を与えられる表示入力装置を提供することができる。
【図面の簡単な説明】
【００１４】
【図１】複合機の一例を示す模型的正面断面図である。
【図２】操作パネルの一例を示す平面図である。
【図３】複合機のハードウェア構成の一例を示すブロック図である。
【図４】表示部やタッチパネル部などの構成を示す分解斜視図である。
【図５】タッチパネル部に対する各圧電素子の配置の一例を示す説明図である。
【図６】第１の実施形態に係る操作パネルでのタッチパネル部を振動させる構成の一例を示すブロック図である。
【図７】第１の実施形態に係る操作パネルでのタッチ位置に応じて振動させる圧電素子対を説明するための説明図である。
【図８】第１の実施形態に係る操作パネルでのタッチパネル部の振動制御の流れの一例を示すフローチャートである。
【図９】第２の実施形態に係る操作パネルでのタッチパネル部を振動させる構成の一例を示すブロック図である。
【図１０】第２実施形態に係る操作パネルでのタッチパネル部の振動制御の流れの一例を示すフローチャートである。
【発明を実施するための形態】
【００１５】
以下、図１〜図１０を用い、本発明の実施形態を説明する。以下では、操作パネル１（表示入力装置に相当）を含む複合機１００（画像形成装置に相当）を例に挙げ説明する。そして、図１〜図８を用いて第１の実施形態を説明し、図９、図１０を用いて第２の実施形態を説明する。但し、本実施の形態に記載されている構成、配置等の各要素は、発明の範囲を限定せず、単なる説明例にすぎない。
【００１６】
（画像形成装置の概略）
次に、図１に基づき、実施形態に係る複合機１００の概略を説明する。図１は複合機１００の一例を示す模型的正面断面図である。
【００１７】
まず、図１に示すように、複合機１００の正面前方には、複合機１００の各種設定や、入力を行うための操作パネル１が設けられる（破線で図示、詳細は後述）。そして、上部に画像読取部２ａと原稿搬送装置２ｂが設けられる。又、複合機１００は本体内部に給紙部３ａ、搬送部３ｂ、画像形成部４ａ、定着部４ｂ等を備える。
【００１８】
まず、図１に破線で示すように、操作パネル１は複合機１００の正面上方に設けられる（詳細は後述）。
【００１９】
原稿搬送装置２ｂは読み取る原稿を載置する原稿トレイ２１を有する。そして、原稿搬送装置２ｂは原稿トレイ２１から原稿を１枚ずつ、自動的に連続して読取位置（送り読取用コンタクトガラス２２）に搬送する。又、原稿搬送装置２ｂは図１の紙面奥側を支点として画像読取部２ａに上下方向に開閉自在に取り付けられ、画像読取部２ａのコンタクトガラス（送り読取用コンタクトガラス２２及び載置読取用コンタクトガラス２３）を上方から押さえるカバーとして機能する。
【００２０】
画像読取部２ａは図１に示すように、上面に送り読取用コンタクトガラス２２と書籍等の原稿を１枚ずつ読み取る際、原稿が載置される載置読取用コンタクトガラス２３を含む。画像読取部２ａ内には、ランプ、ミラー、レンズ、イメージセンサ等（不図示）が配される。イメージセンサは送り読取用コンタクトガラス２２を通過する原稿、あるいは、載置読取用コンタクトガラス２３に載置された原稿の反射光を元に、原稿を読み取る。そして、イメージセンサは反射光を画像濃度に応じたアナログの電気信号に変換し、その後、量子化を行い、その結果、原稿の画像データが得られる。複合機１００は読み取りにより得られた画像データに基づき印刷を行うことができる（コピー機能）。尚、本実施形態の画像読取部２ａはカラーでも、白黒でも読み取り可能である。
【００２１】
給紙部３ａは複数の用紙（例えば、コピー用紙、普通紙、再生紙、厚紙、ＯＨＰシート等の各種シート）を収容し、１枚ずつ搬送部３ｂに送り込む。給紙部３ａは収納用紙が載置されるカセット３１を複数含む（図１で上方から順に、３１ａ、３１ｂと符号を付す）。又、各カセット３１に対し、搬送部３ｂに用紙を送り出すため回転駆動する給紙ローラー３２が設けられる（図１で上方から順に、３２ａ、３２ｂと符号を付す）。例えば、印刷時に、いずれかの給紙ローラー３２が回転駆動し、用紙が１枚ずつ搬送部３ｂに送り出される。
【００２２】
搬送部３ｂは給紙部３ａから送り出された用紙を搬送する通路である。尚、用紙搬送経路上には画像形成部４ａ、定着部４ｂ等が配される。そして、搬送部３ｂには、用紙の案内のためのガイドや、用紙搬送の際に回転駆動する搬送ローラー対３３〜３５や、搬送されてくる用紙を画像形成部４ａの手前で待機させ、トナー像形成のタイミングを合わせて用紙を送り出すレジストローラー対３６等が設けられる。
【００２３】
画像形成部４ａは画像データに基づきトナー像を形成し、搬送される用紙にトナー像を転写する。そのため、画像形成部４ａは図２中に示す矢印方向に回転駆動可能に支持された感光体ドラム４１、及び、感光体ドラム４１の周囲に配設された帯電装置４２、露光装置４３、現像装置４４、転写ローラー４５、クリーニング装置４６等を備える。
【００２４】
トナー像形成及び転写プロセスを説明すると、画像形成部４ａの略中心に設けられ、所定方向に回転駆動する感光体ドラム４１は帯電装置４２により、所定電位に帯電される。露光装置４３は画像データに基づき、レーザ光を出力し、感光体ドラム４１表面を走査露光して画像データに応じた静電潜像を形成する。尚、画像データは画像読取部２ａで得られた画像データや、ネットワーク等により接続されるコンピュータ−２００や相手方ＦＡＸ装置３００（図３参照）から送信された画像データ等が用いられる。
【００２５】
そして、現像装置４４は感光体ドラム４１に形成された静電潜像にトナーを供給して現像する。転写ローラー４５は感光体ドラム４１に圧接し、ニップを形成する。そして、トナー像にあわせタイミングを図られつつ、用紙はニップに進入する。用紙進入時、転写ローラー４５には所定の電圧が印加され、用紙に感光体ドラム４１上のトナー像が転写される。クリーニング装置４６は転写後に感光体ドラム４１に残留するトナーを除去する。
【００２６】
定着部４ｂは用紙に転写されたトナー像を定着させる。本実施形態における定着部４ｂは主として発熱体を内蔵する加熱ローラー４７と加圧ローラー４８で構成される。加熱ローラー４７と加圧ローラー４８は圧接しニップを形成する。そして、用紙が、このニップを通過することで、用紙表面のトナーが溶融・加熱され、トナー像が用紙に定着する。トナー定着後の用紙は排出トレイ３７に排出される。このようにして、コピー機能、プリンター機能の使用時、画像形成（印刷）が行われる。
【００２７】
（操作パネル１）
次に、図２を用いて、実施形態に係る操作パネル１の一例を説明する。図２は操作パネル１の一例を示す平面図である。
【００２８】
操作パネル１は図１に示すように、複合機１００の正面上方に設けられ、複合機１００の設定や動作指示を与えるためのメニューやキーや、複合機１００等の状態のメッセージ等の各種画像、画面を表示する表示部５を有する。例えば、表示部５は液晶表示パネルや有機ＥＬ表示パネルなどであり、操作、設定用の画面や画像を表示する。
【００２９】
そして、表示部５の上面に、所定間隔をおいて設けられ、タッチされている位置を検知するためタッチパネル部６が設けられる。タッチパネル部６は表示部５のうち、使用者にタッチされた部分の位置（座標）を検知するためのものである。尚、タッチパネル部６としては抵抗膜方式、表面弾性波方式、赤外線方式、静電容量方式等、各方式のものを採用でき特に制限はない。
【００３０】
このタッチパネル部６を用いた検出座標と、表示部５に示される各種キーの位置、座標を比較し、表示部５に表示されたキーのうち、タッチパネル部６をタッチして押そうとしたキー（タッチ位置の直下にあるキー）を認識する。そして、使用者が押しして選択したキーが特定され、入力が受け付けられる。これにより。複合機１００のコピーや送信等の各種機能における各種設定や動作指示を行える。
【００３１】
又、操作パネル１には、各種設定後、コピー等のジョブ開始指示用のスタートキー１１や、数字入力用のテンキー部１２や用いる機能を選択するための機能選択キー群１３等のハードキーが設けられる。このように、操作パネル１にはタッチパネル部６や各種ハードキーが備えられ、タッチパネル部６や各種ハードキーは複合機１００の各機能について、各種設定、モード選択等を行う表示入力装置として機能する。
【００３２】
（複合機１００等のハードウェア構成）
次に、図３を用いて、実施形態に係る複合機１００のハードウェア構成の一例を説明する。図３は複合機１００のハードウェア構成の一例を示すブロック図である。
【００３３】
まず、複合機１００本体内には、制御部１００ａが設けられる。制御部１００ａは例えば、操作パネル１、画像読取部２ａ、原稿搬送装置２ｂ、給紙部３ａ、搬送部３ｂ、画像形成部４ａ、定着部４ｂ等と接続され、これらの制御を行う。
【００３４】
例えば、制御部１００ａはＣＰＵ１００ｂや、複合機１００での処理を行うための専用回路であるＡＳＩＣ１００ｃ等の素子を含む。ＣＰＵ１００ｂは記憶装置１００ｄに格納され、展開される制御プログラムに基づき演算等を行い、複合機１００の各部を制御する。尚、制御部１００ａは全体制御や画像処理を行うメイン制御部や、画像形成や各種回転体を回転させるモータ等のＯＮ／ＯＦＦ等を行い、印刷を制御するエンジン制御部等、機能ごとに分割して複数種設けられてもよい。本説明ではこれらを１つの制御部１００ａとしてまとめた形態を示し、説明する。
【００３５】
記憶装置１００ｄは制御部１００ａと接続される。記憶装置１００ｄはＲＯＭ、ＲＡＭ、ＨＤＤ等を組み合わせて構成される。記憶装置１００ｄは複合機１００の制御用プログラム、制御用データ、設定データや、画像読取部２ａによって読み取られた原稿の画像データ等の各種データを記憶できる。
【００３６】
そして、制御部１００ａは各種コネクタ、ソケットやＦＡＸモデム等を備えた通信用インターフェイス部（以下、通信Ｉ／Ｆ部１００ｅ）と接続される。通信Ｉ／Ｆ部１００ｅはネットワークや公衆回線等により複数の外部のコンピュータ−２００（例えば、パーソナルコンピュータ−やサーバー）や相手方ＦＡＸ装置３００（図３ではいずれも便宜上１つのみ図示）と接続される。例えば、画像読取部２ａで得られた画像データを記憶装置１００ｄに記憶させることや、外部のコンピュータ−２００や相手方ＦＡＸ装置３００に送信することができる（スキャナ機能、ＦＡＸ機能）。又、外部のコンピュータ−２００や相手方ＦＡＸ装置３００から送信され、複合機１００に入力される画像データに基づき印刷、ＦＡＸ送信等を行うこともできる（プリンター機能、ＦＡＸ機能）。
【００３７】
又、制御部１００ａは操作パネル１になされた入力を認識し、使用者の設定にあわせてコピー等が行われるように複合機１００を制御する。例えば、操作パネル１で、使用する給紙部３ａを指定してコピーする旨が設定されると、制御部１００ａは指定された給紙部３ａから給紙を行わせる。又、操作パネル１で指定された送信先に、制御部１００ａは通信Ｉ／Ｆ部１００ｅから画像データを送信させる。
【００３８】
又、例えば、制御部１００ａには画像読取部２ａで原稿を読み取って得られた画像データや通信Ｉ／Ｆ部１００ｅを介して複合機１００に入力された画像データに対し、画像処理を施す画像処理部１００ｆが設けられる。画像処理部１００ｆが処理した画像データは例えば、露光装置４３に送信され、感光体ドラム４１の走査・露光に用いられ、又は、通信Ｉ／Ｆ部１００ｅに送信され、外部に発信される。
【００３９】
本実施形態の操作パネル１は表示制御部１０（認識部に相当）、メモリー１４（記憶部に相当）、ドライバー回路１５、表示部５、タッチパネル部６を有する。表示制御部１０はＣＰＵ１０ａやＩＣなどの回路を含み、表示部５の表示を制御し、タッチパネル部６の出力を受け、表示部５で押下された座標を特定する。タッチパネル部６の出力と座標の対応を示すテーブル等のデータはメモリー１４に記憶される。表示制御部１０は押下位置の座標と各設定画面の画像データを比較する等により、タッチパネル部６でタッチされた位置を認識し、設定画面上で選択された（押された）キーを特定、認識する。
【００４０】
具体的に、複合機１００の各機能の設定項目を選択し、設定値を設定するには、タッチパネル部６をタッチして表示部５における最上層の表示から表示部５に表示されるキーの選択を繰り返す。そして、キー選択ごとに、表示制御部１０は表示部５の表示を切り換えさせ、最終的に、選択、設定しようとする機能の設定値が設定される。表示制御部１０はこの機能の選択、設定が行われたことを認識し、その内容を本体の制御部１００ａに送信する。これにより、制御部１００ａは操作パネル１で選択、設定された機能を反映した動作を画像形成部４ａ等の各部に行わせる。そして、使用者の意思が、印刷、送信等において反映される（例えば、濃度設定や拡大縮小など）。
【００４１】
そして、表示部５が表示する画面、画像の画像データは例えば、操作パネル１内のメモリー１４に記憶される。従って、表示制御部１０は設定項目の選択画面や各設定画面中のキーが押下されるごとに、表示制御部１０は次に表示すべき画面の画像データをメモリー１４から読み出す。尚、表示部５が表示する画面、画像の画像データは例えば、本体側の記憶装置１００ｄに記憶させてもよい。この場合、操作パネル１は表示部５で表示を行うための画像データを、制御部１００ａを介し、記憶装置１００ｄから受信する。
【００４２】
表示制御部１０は液晶画面の表示を実際に制御するドライバー回路１５に指示を与える。尚、操作パネル１には表示制御部１０やメモリー１４を設けず、表示制御部１０、メモリー１４の機能を制御部１００ａ等の構成（ＣＰＵ１００ｂや記憶装置１００ｄ）に代用させても良い。
【００４３】
（表示部５とタッチパネル部６）
次に、図４を用いて、操作パネル１中の表示及びタッチによる入力を行う部分について説明する。図４は表示部５やタッチパネル部６などの構成を示す分解斜視図である。
【００４４】
図４に示すように、操作パネル１はタッチパネル部６と矩形状（帯状）の複数の圧電素子７を含む。複数の圧電素子７はタッチパネル部６に接するように（タッチパネル部６の裏面側に）取り付けられる。各圧電素子７はチタン酸ジルコン酸鉛などの圧電効果を有する材料で形成される。又、例えば、各圧電素子７には、積層型のものを用いることができる。
【００４５】
又、タッチパネル部６の裏面側には、タッチパネル部６と所定の間隔を設けつつ、表示部５が配置される。タッチパネル部６は表示部５に表示された画面、画像を透過する。例えば、タッチパネル部６には、透明のプラスチック板やガラス板が用いられる。又、各圧電素子７はタッチパネル部６の下側（表示部５の側）の面に取り付けられる。例えば、各圧電素子７は接着剤、両面テープによりタッチパネル部６に取り付けられる。
【００４６】
そして、タッチパネル部６や圧電素子７や表示部５にはケース１６が被せられる。ケース１６とタッチパネル部６の間には埃やゴミの進入を防ぐシール材１７が挟まれる。シール材１７はタッチパネル部６の外周上面に沿った大きさの矩形環状であり、ケース１６の内面と接する。尚、本実施形態のタッチパネル部６は各圧電素子７により振動（変形）させられるので、低反発性の材料で形成されていることが望ましい。
【００４７】
又、ケース１６部には、開口１６ａ（操作窓）が設けられている。開口１６ａは矩形状であり、タッチパネル部６のうち、開口１６ａに応じた矩形の領域は外部に露出する。この露出部分が使用者から（外部から）視認でき、使用者によりタッチされ得る領域（タッチ可能領域６ａ）となる。使用者は、タッチ可能領域６ａに映る表示部５のキー等の表示位置をタッチすることで、所望の機能や設定項目について設定を行える。一方、タッチパネル部６のうち、ケース１６により隠され、外部から視認できず（視認されず）、使用者によりタッチされない領域（外周縁領域６ｂ）に各圧電素子７が取り付けられる。
【００４８】
（各圧電素子７の配置）
次に、図５を用いて、実施形態に係る操作パネル１での各圧電素子７の配置の一例を説明する。図５はタッチパネル部６に対する各圧電素子７の配置の一例を示す説明図である。
【００４９】
まず、図５に示すように、本実施形態の操作パネル１には、６つの圧電素子７が設けられる。圧電素子７はタッチパネル部６の長辺方向に沿って複数設けられる。具体的に、タッチパネル部６のそれぞれの長辺に沿って３つずつ設けられる。
【００５０】
そして、各圧電素子７はタッチパネル部６の短辺方向で向かい合うように配される。そして、タッチパネル部６の短辺方向で向かい合う一対の圧電素子７で圧電素子対８が形成される（本実施形態では３つ）。尚、圧電素子７をタッチパネル部６の各長辺に長辺方向に沿って４つ設けるならば、圧電素子対８は４つとなる（圧電素子対８は４つ以上でもよい）。
【００５１】
ここで、以下の説明では、タッチパネル部６のうち左端の圧電素子対８を「第１圧電素子対８１」と称する。又、タッチパネル部６のうち中央の圧電素子対８を「第２圧電素子対８２」と称する。又、タッチパネル部６のうち右端の圧電素子対８を「第３圧電素子対８３」と称する。
【００５２】
操作パネル１には、各圧電素子７に対して予め定められた電圧波形の駆動信号Ｓ２を入力して各圧電素子７を振動させて、各圧電素子７に接するタッチパネル部６を振動させる駆動部９が設けられる。駆動部９は、複数の駆動回路９０（駆動用ＩＣ）を含み、各圧電素子対８に対して１つの駆動回路９０が設けられる。
【００５３】
具体的に、第１圧電素子対８１に対して第１駆動回路９０１が設けられる。第１駆動回路９０１は第１圧電素子対８１に含まれる圧電素子７に対して同時に駆動信号Ｓ２を入力する（同時で無くてもよい）。又、第２圧電素子対８２に対して第２駆動回路９０２が設けられる。第２駆動回路９０２は第２圧電素子対８２に含まれる圧電素子７に対して同時に駆動信号Ｓ２を入力する（同時で無くてもよい）。又、第３圧電素子対８３に対して第３駆動回路９０３が設けられる。第３駆動回路９０３は第３圧電素子対８３に含まれる圧電素子７に対して同時に駆動信号Ｓ２を入力する（同時で無くてもよい）。
【００５４】
（タッチパネル部６を振動させる構成）
次に、図６を用いて、第１の実施形態に係る操作パネル１でのタッチパネル部６を振動させる構成の一例を説明する。図６は第１の実施形態に係る操作パネル１でのタッチパネル部６を振動させる構成の一例を示すブロック図である。
【００５５】
本実施形態の操作パネル１では、表示制御部１０はタッチパネル部６がタッチされたことをタッチパネル部６の出力に基づき認識する。そして、タッチパネル部６がタッチされ入力されたことを認識すると、複数の圧電素子対８に駆動信号Ｓ２を入力し、タッチパネル部６を振動（変形）させる。このタッチパネル部６の振動により、使用者にボタンやキーを押したような操作感（クリック感）を与えることができる。
【００５６】
そこで、図６を用いて、タッチパネル部６を振動させる構成を説明する。第１駆動回路９０１、第２駆動回路９０２、第３駆動回路９０３には、それぞれ電圧生成回路９１やスイッチ部９２が設けられる。各駆動回路９０は同様なので、便宜上、各駆動回路９０に含まれる電圧生成回路９１やスイッチ部９２には同じ符号を付す。
【００５７】
各電圧生成回路９１は各圧電素子７に印加する電圧を生成する。各電圧生成回路９１には、商用電源と接続され複合機に必要な電圧を生成する電源部１００ｇ（図３参照）から電圧Ｖｉｎが入力される。そして、電圧生成回路９１は電圧Ｖｉｎの昇圧等を行い、各圧電素子７に電界を印加して、圧電素子７を変形させるための電圧を生成する。
【００５８】
本実施形態において、各圧電素子７には、パルス状に変化する波形の電圧が１又は複数回駆動信号Ｓ２として入力される（例えば、振幅は数十Ｖ程度）。言い換えると、タッチパネル部６を振動させるとき、各駆動回路９０（第１駆動回路９０１、第２駆動回路９０２、第３駆動回路９０３）は１又は複数回のパルスを各圧電素子７に入力する。あるいは、各圧電素子７に１又は複数周期分の正弦波の電圧信号を駆動信号Ｓ２として入力してもよい。このように、各駆動回路９０は振幅が変化する電圧を駆動信号Ｓ２として各圧電素子７に印加する（入力する）。例えば、電圧生成回路９１は各圧電素子７が最も振動する周波数の駆動信号Ｓ２を生成する。
【００５９】
具体的には、タッチパネル部６を振動させるとき、表示制御部１０（ＣＰＵ１０ａ）は振動させる圧電素子対８に対応する駆動回路９０のスイッチ部９２に、圧電素子７を振動させる旨の指示信号Ｓ１を与える。この指示信号Ｓ１を受けると、スイッチ部９２はＯＮ状態となり、スイッチ部９２は電圧生成回路９１が生成した電圧（駆動信号Ｓ２）を圧電素子７に入力する。そして、予め定められた回数（１又は複数回）のパルスや正弦波（駆動信号Ｓ２）を入力すると、スイッチ部９２はＯＦＦ状態となる。
【００６０】
尚、表示制御部１０はタッチパネル部６の出力に基づき、タッチされ続けている時間を認識できる。そこで、表示制御部１０はタッチされている時間が長いほど、各圧電素子対８（第１圧電素子対８１、第２圧電素子対８２、第３圧電素子対８３）に入力する駆動信号Ｓ２の回数を増やす、又は、駆動信号Ｓ２としての電圧の振幅を大きくする旨の指示信号Ｓ１を駆動部９内の各スイッチ部９２に与えてもよい。この指示信号Ｓ１を受けて、各駆動回路９０はタッチされている時間が長いほど、各圧電素子対８に圧電素子対８に入力する駆動信号Ｓ２の回数を増やす（例えば、入力するパルスや正弦波を増やしていく）、又は、駆動信号Ｓ２としての電圧の振幅を大きくする。
【００６１】
（タッチパネル部６の振動制御）
次に、図７、図８を用いて、第１の実施形態に係る操作パネル１でのタッチパネル部６の振動制御の一例を説明する。図７は第１の実施形態に係る操作パネル１でのタッチ位置に応じて振動させる圧電素子対８を説明するための説明図である。図８は第１の実施形態に係る操作パネル１でのタッチパネル部６の振動制御の流れの一例を示すフローチャートである。
【００６２】
まず、本実施形態の操作パネル１では、３つの圧電素子対８（計６つの圧電素子７）が設けられる。そして、第１圧電素子対８１、第２圧電素子対８２、第３圧電素子対８３に同じタイミングで駆動信号Ｓ２を入力し、同じタイミングで各圧電素子７を振動（収縮）させると、振動同士の干渉が生じ、タッチパネル部６のうち、振動が弱い（湾曲量、上下方向での変形量が少ない）部分ができてしまう場合がある。本実施形態のように各圧電素子７を配した場合、全ての圧電素子対８に同時に駆動信号Ｓ２を入力すると、タッチパネル部６のうち、タッチパネル部６の左右方向（長辺方向）での中央部分（第１圧電素子対８１と第３圧電素子対８３に挟まれる領域）でのタッチパネル部６の振動（変形）が弱くなりやすいことが分かっている。
【００６３】
そこで、本実施形態の操作パネル１では、タッチパネル部６がタッチされたとき（キーなどの表示位置をタッチして設定項目や設定値を選択する入力など、操作が受け付けられたとき）、駆動部９は表示制御部１０で認識したタッチ位置に近い２つの圧電素子対８にのみ駆動信号Ｓ２を入力し、タッチ位置に近い２つの圧電素子対８のみ振動させるようにする。
【００６４】
具体的に、図７を用いて説明する。まず、図７のうち、２点鎖線はタッチ可能領域６ａの一例を示している。例えば、タッチ可能領域６ａのうち、図７に示すａ点がタッチされたとき、表示制御部１０は駆動部９のうち第１駆動回路９０１と第２駆動回路９０２に指示信号Ｓ１を与える。その結果、駆動部９（第１駆動回路９０１と第２駆動回路９０２）は第１圧電素子対８１と第２圧電素子対８２に駆動信号Ｓ２を入力し、４つの圧電素子７を振動させる。
【００６５】
又、タッチ可能領域６ａのうち、図７に示すｂ点がタッチされたとき、表示制御部１０は駆動部９のうち第２駆動回路９０２と第３駆動回路９０３に指示信号Ｓ１を与える。その結果、駆動部９（第２駆動回路９０２と第３駆動回路９０３）は第２圧電素子対８２と第３圧電素子対８３に駆動信号Ｓ２を入力し、４つの圧電素子７を振動させる。
【００６６】
このように、本実施形態では、タッチパネル部６のタッチ可能領域６ａのうち、左半分の領域でタッチによりキーの選択などの入力が受け付けられたとき、駆動部９は第１圧電素子対８１と第２圧電素子対８２の圧電素子７に駆動信号Ｓ２を入力し、圧電素子７を振動させる。又、タッチパネル部６のタッチ可能領域６ａのうち、右半分の領域でタッチによりキーの選択などの入力が受け付けられたとき、駆動部９は第２圧電素子対８２と第３圧電素子対８３の圧電素子７に駆動信号Ｓ２を入力し、圧電素子７を振動させる。
【００６７】
次に、図８を用いて、第１の実施形態に係る操作パネル１でのタッチパネル部６の振動制御の流れの一例を説明する。
【００６８】
まず、図８のスタートは省電力モードなどで、タッチパネル部６の動作が停止させられている状態ではなく、使用者による入力を待ち受けている状態である。
【００６９】
そして、表示制御部１０はタッチパネル部６の出力に基づき、設定入力用のキーやボタンなどのような入力用の領域の表示位置に対し、タッチがなされたか否かを確認する（ステップ♯１）。言い換えると、表示制御部１０はタッチパネル部６の出力に基づき、タッチされた位置はキーなどが表示された位置か（キーなどを選択のような操作入力が受け付けられたか否か）を確認する。尚、キーなどの入力用の領域以外の位置の領域（例えば、単なる空白領域）がタッチされたときにも、圧電素子対８を振動させるようにしてもよい。
【００７０】
キーなどの選択入力がなされていなければ（ステップ♯１のＮｏ）、フローはステップ♯１に戻る。一方、キーなどの選択入力がなされたのであれば（ステップ♯１のＹｅｓ）、表示制御部１０はタッチ位置に応じ、駆動信号Ｓ２を入力する圧電素子対８を定める（ステップ♯２）。
【００７１】
圧電素子対８が８つ以上設ける場合など、タッチ位置に基づき駆動させる圧電素子対８を定める演算が複雑になる場合がある。そこで、メモリー１４に認識されたタッチ位置に応じて駆動信号Ｓ２を入力する圧電素子対８を定めた設定データを記憶させておいてもよい。そして、表示制御部１０はタッチ位置に応じて、設定データを参照して駆動させる圧電素子対８を定めるようにしてもよい。これにより、駆動部９は認識されたタッチ位置に応じて駆動信号Ｓ２を入力すると設定データ内で定められた圧電素子対８に駆動信号Ｓ２を入力する。
【００７２】
そして、表示制御部１０はタッチ位置に応じ、３つの圧電素子対８のうち、２つの圧電素子対８に駆動信号Ｓ２を入力する駆動回路９０（スイッチ部９２）に対し、指示信号Ｓ１を与える（ステップ♯３）。指示信号Ｓ１を受けた駆動回路９０は接続された圧電素子７に駆動信号Ｓ２を入力する（ステップ♯４）。これにより、設けられた圧電素子対８のうち、一部のみ振動させられる（本実施形態では３つのうち２つ）。尚、タッチパネル部６をタッチしている時間に応じ、各圧電素子７に入力する駆動信号Ｓ２の回数や振幅を変化させてもよい。
【００７３】
尚、表示制御部１０は駆動させる圧電素子対８に対応する駆動回路９０に同時に指示信号Ｓ１を与え、各駆動回路９０は駆動信号Ｓ２に接続された４つの圧電素子７に同じタイミングで（同時に）駆動信号Ｓ２の入力を開始してもよい。又、同時に２つの圧電素子対８に駆動信号Ｓ２を入力すると振動が弱く、クリック感が与えられない場合、表示制御部１０は指示信号Ｓ１を与えるタイミングをずらしてもよい。言い換えると、駆動回路９０による駆動信号Ｓ２の入力開始タイミングを圧電素子対８ごとにずらすようにしてもよい。
【００７４】
そして、必要に応じて表示制御部１０は表示部５の表示を切り替える（ステップ♯５）。例えば、表示制御部１０はタッチにより選択されたキーなどに応じ、表示部５に設定画面を切り替えさせたり、キーの表示色を切り替えさせたりさせる。そして、本フローは終了する。タッチパネル部６に対するタッチが行われるごとに本フローが実行される。
【００７５】
このようにして、本実施形態に係る表示入力装置（操作パネル１）は、操作、設定用の画面を表示する表示部５と、表示部５の上面に設けられ、タッチされている位置を検知するためのタッチパネル部６と、タッチパネル部６の出力に基づき、タッチパネル部６でタッチされた位置を認識する認識部（表示制御部１０）と、タッチパネル部６のうち外部から視認されない領域に接する複数の圧電素子７と、圧電素子７に予め定められた電圧波形の駆動信号Ｓ２を１又は複数回入力して圧電素子７及びタッチパネル部６を振動させる駆動部９と、を含み、圧電素子７はタッチパネル部６の短辺方向で向かい合うようにタッチパネル部６の長辺方向に沿って複数設けられ、タッチパネル部６の短辺方向で向かい合う一対の圧電素子７で圧電素子対８が複数形成され、駆動部９は全ての圧電素子対８に対し、同時に駆動信号Ｓ２の入力を開始しない。
【００７６】
この構成によれば、駆動部９は全ての圧電素子対８に対し、同時に駆動信号Ｓ２の入力を開始しない。これにより、各圧電素子対８での振動発生開始時点や振動期間がずれ、各圧電素子７が生ずる振動同士の干渉によるタッチパネル部６の振動量（変形量）の減少を抑えることができる。を軽減することができる。従って、ボタンやキーを押したような操作感（クリック感）を与えられるように、タッチパネル部６を十分に振動させることができる。
【００７７】
又、表示部５の長手方向に並ぶ３つ以上の各圧電素子対８での振動発生時点を同じにすると、表示部５の長手方向の両端の圧電素子対８に挟まれた領域ではタッチパネル部６が十分に振動しない（変形量が少なくなる）場合がある。そこで、圧電素子対８は３つ以上であり、タッチパネル部６がタッチされたとき、駆動部９は認識部（表示制御部１０）により認識されたタッチ位置に最も近い２つの圧電素子対８にのみ駆動信号Ｓ２を入力する。これにより、タッチ位置から離れた圧電素子対８を駆動させないようにすることで、干渉によるタッチパネル部６の振動量（変形量）の減少を抑えることができる。従って、クリック感を与えられるほど、タッチパネル部６を十分に振動（変形）させることができる。又、一部の圧電素子対８の駆動を行わないので、従来のように、全ての圧電素子対８を駆動させる場合に比べ、消費電力を抑えることができる。
【００７８】
又、表示入力装置（操作パネル１）は、認識されたタッチ位置に応じて駆動信号Ｓ２を入力する圧電素子対８を定めた設定データを記憶する記憶部（メモリー１４）を含み、駆動部９は認識されたタッチ位置に応じて駆動信号Ｓ２を入力すると設定データ内で定められた圧電素子対８に駆動信号Ｓ２を入力する。これにより、タッチ位置から駆動信号Ｓ２を入力する圧電素子対８を演算により求めず、設定データを参照するだけで駆動信号Ｓ２を入力する圧電素子対８を定めることができる。従って、簡易、高速に駆動信号Ｓ２を入力する圧電素子対８を定めることができる。
【００７９】
又、認識部（表示制御部１０）はタッチパネル部６の出力に基づきタッチされ続けている時間を認識し、駆動部９はタッチされている時間が長いほど、圧電素子対８に入力する駆動信号Ｓ２の回数を増やす、又は、駆動信号Ｓ２としての電圧の振幅を大きくする。これにより、タッチしている時間に応じて、操作感（クリック感）に差を設けることができる。
【００８０】
又、実施形態に係る画像形成装置（複合機１００）は、上述の表示入力装置（操作パネル１）を含む。従って、視覚的や聴覚的な障害を持つ使用者に対しても、タッチパネル部６をタッチすることによる入力が受け付けられたことを十分に伝達することができる。従って、使いやすい画像形成装置を提供することができる。
【００８１】
（第２の実施形態）
次に、図９、図１０を用いて、第２の実施形態を説明する。図９は第２の実施形態に係る操作パネル１でのタッチパネル部６を振動させる構成の一例を示すブロック図である。図１０は第２実施形態に係る操作パネル１でのタッチパネル部６の振動制御の流れの一例を示すフローチャートである。
【００８２】
第１の実施形態では、駆動部９は表示制御部１０により認識されたタッチ位置に近い２つの圧電素子対８にのみ駆動信号Ｓ２を入力する例を説明した。第２の実施形態では、タッチパネル部６がタッチされたとき、全ての圧電素子対８に対して駆動信号Ｓ２を入力し、駆動（振動）させる点で異なる。具体的に、駆動部９は最初の圧電素子対８への駆動信号Ｓ２の入力開始タイミングと最後の圧電素子対８への駆動信号Ｓ２の入力開始タイミングとのずれが予め定められた時間内に収まるように、駆動信号Ｓ２の入力開始タイミングを圧電素子対８ごとにずらす。
【００８３】
以下、特に説明する点以外の点は、第１の実施形態と同じ構成である。そのため、特に説明する点を除き、共通する部分は第１の実施形態の記載を援用するものとし、共通する部分の説明、図示は省略する。
【００８４】
図９に示すように、タッチパネル部６へのタッチがあったとき（キーなどを選択する入力がなされたとき）、駆動信号Ｓ２の入力開始タイミングを圧電素子対８ごとにずらすため、本実施形態では、第１駆動回路９０１（主駆動回路に相当）にタイミング調整回路９３が設けられる。
【００８５】
本実施形態では、タッチパネル部６へのタッチがあったとき、第１圧電素子対８１→第２圧電素子対８２→第３圧電素子対８３の順に圧電素子対８に駆動信号Ｓ２を入力する例を説明するが、順番はこの例に限られず、タイミング調整回路９３は最初に圧電素子対８に駆動信号Ｓ２を入力する駆動回路９０内に設ければよい。
【００８６】
まず、本実施形態では、タッチパネル部６へのタッチがあったとき、表示制御部１０は第１駆動回路９０１のスイッチ部９２に、第１圧電素子対８１に駆動信号Ｓ２を入力すべき旨の指示信号Ｓ１を与える。この指示信号Ｓ１を受け、第１駆動回路９０１は第１圧電素子対８１（第１圧電素子対８１に含まれる圧電素子７）に駆動信号Ｓ２を入力する。
【００８７】
そして、タイミング調整回路９３は第２駆動回路９０２（従駆動回路に相当）と第３駆動回路９０３（従駆動回路）のスイッチ部９２と接続される。タイミング調整回路９３は第２駆動回路９０２と第３駆動回路９０３のスイッチ部９２に駆動信号Ｓ２を圧電素子７に入力すべき旨のトリガ信号Ｓ３を与える。このトリガ信号Ｓ３を受けると、第２駆動回路９０２（のスイッチ部９２）と第３駆動回路９０３（のスイッチ部９２）は接続された圧電素子対８（第２圧電素子対８２又は第３圧電素子対８３）に駆動信号Ｓ２を入力する、
【００８８】
具体的に、タイミング調整回路９３は各圧電素子対８（第１圧電素子対８１、第２圧電素子対８２、第３圧電素子対８３）への駆動信号Ｓ２の入力開始タイミングが圧電素子対８ごとにずれるように（位相差が生ずるように）トリガ信号Ｓ３を出力する。
【００８９】
このとき、タイミング調整回路９３は最初の圧電素子対８（本実施形態では第１圧電素子対８１）への駆動信号Ｓ２の入力開始タイミングと、最後の圧電素子対８（本実施形態の第３圧電素子対８３）への駆動信号Ｓ２の入力開始タイミングとのずれが予め定められた時間内に収まるようにトリガ信号Ｓ３を出力する。ずれが大きすぎると、ボタンやキーを押したような操作感（クリック感）を与えるように、タッチパネル部６を振動（変形）させることができなくなる（タッチパネル部６の変形速度が緩やかになる）場合があるためである。
【００９０】
「予め定められた時間」は任意に定めることが時間である。しかし、実験等により、ボタンやキーを押したような操作感（クリック感）を与えることができるずれの時間の範囲を予め求め、「予め定められた時間」を求めた時間の範囲内で定めることが好ましい。
【００９１】
次に、図１０を用いて、第２の実施形態に係る操作パネル１でのタッチパネル部６の振動制御の流れの一例を説明する。
【００９２】
まず、図１０のスタートも図８の場合と同様に、省電力モードなどで、タッチパネル部６の動作が停止させられている状態ではなく、使用者による入力を待ち受けている状態である。
【００９３】
そして、表示制御部１０はタッチパネル部６の出力に基づき、設定入力用のキーやボタンなどのような入力用の領域の表示位置に対し、タッチがなされたか否かを確認する（ステップ♯２１）。
【００９４】
キーなどの選択入力がなされていなければ（ステップ♯２１のＮｏ）、フローはステップ♯２１に戻る。一方、キーなどの選択入力がなされたのであれば（ステップ♯２１のＹｅｓ）、表示制御部１０は第１駆動回路９０１に、第１駆動回路９０１に接続された第１圧電素子対８１に駆動信号Ｓ２を入力すべき旨の指示信号Ｓ１を入力する（ステップ♯２２）。第１駆動回路９０１は指示信号Ｓ１に応じ、第１圧電素子対８１に駆動信号Ｓ２を入力する（ステップ♯２３）。
【００９５】
そして、第１駆動回路９０１（タイミング調整回路９３）は予め定められた順番で、各圧電素子対８への駆動信号Ｓ２の入力開始タイミングがずれるように、第２駆動回路９０２と第３駆動回路９０３にトリガ信号Ｓ３を入力する（ステップ♯２４）。
【００９６】
そして、トリガ信号Ｓ３に応じ、第２駆動回路９０２と第３駆動回路９０３はタイミングをずらして第２圧電素子対８２と第３圧電素子対８３に駆動信号Ｓ２を入力する（ステップ♯２５）そして、必要に応じて表示制御部１０は表示部５の表示を切り替える（ステップ♯２６）。そして、本フローは終了する。タッチパネル部６に対するタッチが行われるごとに本フローが実行される。
【００９７】
このようにして、本実施形態に係る表示入力装置（操作パネル１）は、タッチパネル部６がタッチされたとき、駆動部９は最初の圧電素子対８への駆動信号Ｓ２の入力開始タイミングと最後の圧電素子対８への駆動信号Ｓ２の入力開始タイミングとのずれが予め定められた時間内に収まるように、駆動信号Ｓ２の入力開始タイミングを圧電素子対８ごとにずらして、圧電素子７に駆動信号Ｓ２を入力する。これにより、各圧電素子対８からの振動発生時点や振動期間がずれ、干渉によるタッチパネル部６の振動量（変形量）の減少を抑えることができる。従って、クリック感を与えられるほど、タッチパネル部６を十分に振動（変形）させることができる。
【００９８】
又、駆動部９は圧電素子対８に対して１つ設けられ、圧電素子対８の圧電素子７に接続され、圧電素子７に駆動信号Ｓ２を入力する駆動回路９０（第１駆動回路９０１、第２駆動回路９０２、第３駆動回路９０３）を含み、複数の駆動回路９０のうち、１つの駆動回路９０である主駆動回路（第１駆動回路９０１）に、主駆動回路（第１駆動回路９０１）以外の駆動回路９０である従駆動回路（第２駆動回路９０２、第３駆動回路９０３）が接続され、主駆動回路は接続された圧電素子７に対して駆動信号Ｓ２を入力するとともに、駆動信号Ｓ２を圧電素子７に入力すべき旨のトリガ信号Ｓ３を、各圧電素子対８の振動開始のタイミングがずれるようにそれぞれの従駆動回路に与え、従駆動回路はトリガ信号Ｓ３を受けると、接続された圧電素子７に駆動信号Ｓ２を入力する。これにより、１つの駆動回路９０（第１駆動回路９０１）をマスターとして、他の駆動回路９０（第２駆動回路９０２、第３駆動回路９０３）による圧電素子対８への駆動信号Ｓ２の入力開始タイミングをずらすことができる。従って、１つのマスターとしての駆動回路９０からのトリガ信号Ｓ３のタイミングをずらすだけで、干渉によるタッチパネル部６の振動量（変形量）の減少するように、各圧電素子対８への駆動信号Ｓ２の入力開始タイミングを制御することができる。
【００９９】
本発明の実施形態を説明したが、本発明の範囲はこれに限定されるものではなく、発明の主旨を逸脱しない範囲で種々の変更を加えて実施することができる。
【産業上の利用可能性】
【０１００】
本発明は、表示部とタッチパネル部と複数の圧電素子を有する表示入力装置や、画像形成装置に利用可能である。
【符号の説明】
【０１０１】
１００  複合機（画像形成装置）            １      操作パネル（表示入力装置）
１０    表示制御部（認識部）              １４    メモリー（記憶部）
５      表示部                            ６      タッチパネル部
７      圧電素子                          ８      圧電素子対
８１    第１圧電素子対                    ８２    第２圧電素子対
８３    第３圧電素子対                    ９      駆動部
９０    駆動回路                          ９０１  第１駆動回路（主駆動回路）
９０２  第２駆動回路（従駆動回路）        ９０３  第３駆動回路（従駆動回路）
Ｓ２    駆動信号                          Ｓ３    トリガ信号
【図１】
2014194589.tif 000003
【図２】
2014194589.tif 000004
【図３】
2014194589.tif 000005
【図４】
2014194589.tif 000006
【図５】
2014194589.tif 000007
【図６】
2014194589.tif 000008
【図７】
2014194589.tif 000009
【図８】
2014194589.tif 000010
【図９】
2014194589.tif 000011
【図１０】
2014194589.tif 000012